【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
複数のスロットが形成された固定子コアと、
前記固定子コアの各スロットに挿通されて６以上の偶数個のレイヤの内のいずれか一つを構成するスロット導体および異なるスロットに挿通されたスロット導体の同一側端部同士を接続してコイルエンドを構成する渡り導体を有する波巻の周回巻線を、複数有する複数相の固定子巻線と、を備えた回転電機の固定子であって、
前記渡り導体は、毎極スロット数をＮとしたとき、一方のコイルエンドではスロットピッチNp＝Ｎでスロットを跨ぎ、他方のコイルエンドではスロットピッチNp＝Ｎでスロットを跨ぐように前記スロット導体間を接続し、
前記固定子巻線は、同一相の複数のスロット導体で構成される一群のスロット導体群と、前記スロット導体群内のいずれか一つを構成するスロット導体と異なるスロット導体群内のいずれか一つを構成するスロット導体とを接続するジャンパー線とを、複数有し、
前記スロット導体群の複数のスロット導体は、固定子コア周方向に連続して並んだ所定数Nsのスロット内にスロットおよびレイヤが隣接するように挿通され、
前記所定数Nsは、毎極毎相スロット数をNSPP、レイヤ数を２×NL1としたとき、Ns＝NSPP＋NL1−１に設定されており、
前記ジャンパー線は、６個のスロットを跨ぐように前記スロット導体間を接続する回転電機の固定子。
【請求項２】
請求項１に記載の回転電機の固定子において、
前記スロット導体群は、固定子コア径方向に隣り合って互いに前記渡り導体に接続される内周側レイヤおよび外周側レイヤよりなるスロット導体小群をNL1個有し、
前記内周側レイヤのスロット導体と前記外周側レイヤのスロット導体とは、固定子コア周方向両端を揃えて配置され、
前記NL1個のスロット導体小群は、固定子コア周方向に１スロットピッチずつずれて配置されている回転電機の固定子。
【請求項３】
複数のスロットが形成された固定子コアと、
前記固定子コアの各スロットに挿通されて６以上の偶数個のレイヤの内のいずれか一つを構成するスロット導体および異なるスロットに挿通されたスロット導体の同一側端部同士を接続してコイルエンドを構成する渡り導体を有する波巻の周回巻線を、複数有する複数相の固定子巻線と、を備えた回転電機の固定子であって、
前記渡り導体は、毎極スロット数をＮとしたとき、一方のコイルエンドではスロットピッチNp＝Ｎ＋１でスロットを跨ぎ、他方のコイルエンドではスロットピッチNp＝Ｎ−１でスロットを跨ぐように前記スロット導体間を接続し、
前記固定子巻線は、同一相の複数のスロット導体で構成される一群のスロット導体群を複数有し、
前記スロット導体群の複数のスロット導体は、固定子コア周方向に連続して並んだ所定数Nsのスロット内にスロットおよびレイヤが隣接するように挿通され、
前記所定数Nsは、毎極毎相スロット数をNSPPとしたとき、Ns＝NSPP＋１に設定されており、
レイヤ数を２×NL1としたとき、
前記スロット導体群は、固定子コア径方向に隣り合って互いに前記渡り導体に接続される内周側レイヤおよび外周側レイヤよりなるスロット導体小群をNL1個有し、
前記内周側レイヤのスロット導体と前記外周側レイヤのスロット導体とは、互いに固定子コア周方向に１スロットピッチずれて配置され、
前記NL1個のスロット導体小群は、固定子コア周方向両端を揃えて配置されている回転電機の固定子。
【請求項４】
請求項３に記載の回転電機の固定子において、
前記固定子巻線は、前記スロット導体群内のいずれか一つを構成するスロット導体と異なるスロット導体群内のいずれか一つを構成するスロット導体とを接続するジャンパー線を備え、
前記ジャンパー線は、８個のスロットを跨ぐように前記スロット導体間を接続する回転電機の固定子。
【請求項５】
請求項１乃至４のいずれかに記載の回転電機の固定子において、
前記周回巻線は、複数のセグメント導体を接続することで構成される回転電機の固定子。
【請求項６】
請求項１乃至４のいずれかに記載の回転電機の固定子において、
前記スロット導体が平角線である回転電機の固定子。
【請求項７】
請求項１乃至４のいずれかに記載の回転電機の固定子において、
前記固定子巻線はＹ結線を複数有し、それぞれのＹ結線の各相の巻線に誘起する電圧に位相差が無い回転電機の固定子。
【請求項８】
請求項１乃至７のいずれかに記載の回転電機の固定子と、
前記固定子コアに対して空隙を介して回転自在に支持された回転子と、を備えた回転電機。
【請求項９】
請求項８に記載の回転電機と、
直流電力を供給するバッテリと、
前記バッテリの直流電力を交流電力に変換して前記回転電機に供給する変換装置と、を備え、
前記回転電機のトルクを駆動力として用いる車両。
【手続補正２】
【補正対象書類名】明細書
【補正対象項目名】発明の名称
【補正方法】変更
【補正の内容】
【発明の名称】回転電機の固定子、回転電機、および、その回転電機を備えた車両
【手続補正３】
【補正対象書類名】明細書
【補正対象項目名】０００１
【補正方法】変更
【補正の内容】
【０００１】
本発明は、回転電機の固定子、回転電機、および、その回転電機を備えた車両に関する。
【手続補正４】
【補正対象書類名】明細書
【補正対象項目名】０００５
【補正方法】変更
【補正の内容】
【０００５】
（１）本発明の第１の好ましい態様による回転電機の固定子は、複数のスロットが形成された固定子コアと、固定子コアの各スロットに挿通されて６以上の偶数個のレイヤの内のいずれか一つを構成するスロット導体および異なるスロットに挿通されたスロット導体の同一側端部同士を接続してコイルエンドを構成する渡り導体を有する波巻の周回巻線を、複数有する複数相の固定子巻線と、を備え、渡り導体は、毎極スロット数をＮとしたとき、一方のコイルエンドではスロットピッチNp＝Ｎでスロットを跨ぎ、他方のコイルエンドではスロットピッチNp＝Ｎでスロットを跨ぐようにスロット導体間を接続し、固定子巻線は、同一相の複数のスロット導体で構成される一群のスロット導体群と、そのスロット導体群内のいずれか一つを構成するスロット導体と異なるスロット導体群内のいずれか一つを構成するスロット導体とを接続するジャンパー線とを、を複数有し、スロット導体群の複数のスロット導体は、固定子コア周方向に連続して並んだ所定数Nsのスロット内にスロットおよびレイヤが隣接するように挿通され、所定数Nsは、毎極毎相スロット数をNSPP、レイヤ数を２×NL1としたとき、Ns＝NSPP＋NL1−１に設定されており、ジャンパー線は、６個のスロットを跨ぐようにスロット導体間を接続することを特徴とする。
（２）本発明の第２の好ましい態様による回転電機の固定子は、複数のスロットが形成された固定子コアと、固定子コアの各スロットに挿通されて６以上の偶数個のレイヤの内のいずれか一つを構成するスロット導体および異なるスロットに挿通されたスロット導体の同一側端部同士を接続してコイルエンドを構成する渡り導体を有する波巻の周回巻線を、複数有する複数相の固定子巻線と、を備え、渡り導体は、毎極スロット数をＮとしたとき、一方のコイルエンドではスロットピッチNp＝Ｎ＋１でスロットを跨ぎ、他方のコイルエンドではスロットピッチNp＝Ｎ−１でスロットを跨ぐようにスロット導体間を接続し、固定子巻線は、同一相の複数のスロット導体で構成される一群のスロット導体群を複数有し、スロット導体群の複数のスロット導体は、固定子コア周方向に連続して並んだ所定数Nsのスロット内にスロットおよびレイヤが隣接するように挿通され、所定数Nsは、毎極毎相スロット数をNSPP、Ns＝NSPP＋１に設定されており、レイヤ数を２×NL1としたとき、スロット導体群は、固定子コア径方向に隣り合って互いに渡り導体に接続される内周側レイヤおよび外周側レイヤよりなるスロット導体小群をNL1個有し、内周側レイヤのスロット導体と外周側レイヤのスロット導体とは、互いに固定子コア周方向に１スロットピッチずれて配置され、NL1個のスロット導体小群は、固定子コア周方向両端を揃えて配置されていることを特徴とする。
（３）本発明の好ましい態様による回転電機は、本発明の第１〜２のいずれかの好ましい態様による回転電機の固定子と、固定子コアに対して空隙を介して回転自在に支持された回転子と、を備えることを特徴とする。
（４）本発明の好ましい態様による車両は、本発明の好ましい態様による回転電機と、直流電力を供給するバッテリと、バッテリの直流電力を交流電力に変換して回転電機に供給する変換装置と、を備え、回転電機のトルクを駆動力として用いることを特徴とする。